【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）がマルチキャストサービスを取得するための方法であって、
ユーザサービス記述（ＵＳＤ）メッセージを受信することを備え、前記ＵＳＤメッセージは、前記ＵＥに関係のあるマルチキャストサービスの周波数を示し、
前記ＵＳＤメッセージにおいて示される前記周波数が現在の周波数でないとき、前記方法は、
システム情報メッセージが受信されたことを決定することと、
前記システム情報メッセージが受信されたとき、前記ＵＳＤメッセージにおいて示される前記周波数が前記システム情報メッセージに含まれることを決定することと、
前記周波数が前記システム情報メッセージに含まれるとき、前記周波数が近隣セルのセル周波数であることを決定し、前記周波数の優先順位を最も高い優先順位に設定し、前記周波数の信号強度を測定することと、
前記周波数の前記信号強度に基づいてセル再選択決定プロシージャを実行することと、
前記セル再選択決定プロシージャの結果に基づいて前記近隣セルに対するセル再選択を実行することと、
前記周波数上の前記近隣セルからの前記マルチキャストサービスを取得することと
をさらに備える方法。
【請求項２】
前記ＵＳＤメッセージにおいて示される前記周波数が前記現在の周波数であるとき、前記マルチキャストサービスを取得することをさらに備える、
請求項１に記載の方法。
【請求項３】
前記システム情報メッセージが受信されないとき、前記マルチキャストサービスが利用可能でないことを決定すること、
前記ＵＳＤメッセージにおいて示される前記周波数が前記システム情報メッセージに含まれていないとき、前記マルチキャストサービスが利用可能でないことを決定すること、または
前記セル再選択プロシージャの前記結果が、
前記周波数の前記信号強度が閾値を超えないこと、
前記周波数の前記信号強度が、所定の時間期間の間、前記閾値を超えないこと、または
前記ＵＥが、少なくとも１秒間、現在のセルにとどまらないこと
のうちの少なくとも１つを決定するとき、前記マルチキャストサービスが利用可能でないことを決定すること
のうちの少なくとも１つをさらに備える、請求項１に記載の方法。
【請求項４】
前記セル再選択決定プロシージャの前記結果が、
前記周波数が前記最も高い優先順位を有することと、
前記周波数の前記信号強度が、所定の時間期間の間、閾値よりも大きいことと、
前記ＵＥが、少なくとも１秒間、現在のセルにとどまることと
を決定するとき、前記近隣セルに対する前記セル再選択が実行される、
請求項１に記載の方法。
【請求項５】
前記システム情報メッセージは、システム情報ブロックタイプ５（ＳＩＢ５）メッセージであり、
前記閾値のための値と前記所定の時間期間のための値とは、前記ＳＩＢ５メッセージに含まれる
請求項４に記載の方法。
【請求項６】
前記周波数上の前記近隣セルからの前記マルチキャストサービスが取得され、前記方法は、
前記周波数が新しい現在の周波数であることを決定することと、
前記新しい現在の周波数の優先順位を最も高い優先順位に設定することと、
前記新しい現在の周波数が前記最も高い優先順位を有し、
前記新しい現在の周波数の信号強度が第２の閾値未満であり、
第２の近隣セルの信号強度が、所定の時間期間の間、第３の閾値よりも大きく、
前記ＵＥが、少なくとも１秒間、新しい現在のセルにとどまるとき
前記第２の近隣セルに対するセル再選択を実行することと
をさらに備える、請求項１に記載の方法。
【請求項７】
前記システム情報メッセージは、システム情報ブロックタイプ３（ＳＩＢ３）メッセージまたはシステム情報ブロックタイプ５（ＳＩＢ５）メッセージのうちの少なくとも１つであり、
前記第２の閾値のための値は、前記ＳＩＢ３メッセージに含まれ、前記第３の閾値のための値と前記所定の時間期間のための値とは、前記ＳＩＢ５メッセージに含まれる
請求項６に記載の方法。
【請求項８】
前記周波数上の前記近隣セルからの前記マルチキャストサービスが取得され、前記方法は、
異なる周波数上の利用可能な第２のマルチキャストサービスの受信を拒否すること、
受信された取得命令に基づいて前記利用可能な第２のマルチキャストサービスを取得すること
のうちの１つをさらに備え、前記利用可能な第２のマルチキャストサービスを前記取得することは、
現在のマルチキャストサービスを非アクティブ化することと、
前記異なる周波数の優先順位を最も高い優先順位に設定することと、
前記異なる周波数が前記最も高い優先順位を有し、
前記異なる周波数のセルの信号強度が、所定の時間期間の間、閾値よりも大きく、
前記ＵＥが、少なくとも１秒間、現在のセルにとどまるとき
前記利用可能な第２のマルチキャストサービスを取得するために、前記異なる周波数の前記セルに対するセル再選択を実行することと
を備える、請求項１に記載の方法。
【請求項９】
ユーザ機器（ＵＥ）によってマルチキャストサービスを取得するための方法であって、
ユーザサービス記述（ＵＳＤ）メッセージを受信することと、ここにおいて、前記ＵＳＤメッセージは、前記ＵＥに関係のあるマルチキャストサービスの周波数を示す、
前記ＵＳＤメッセージにおいて示される前記周波数が現在の周波数であるとき、前記マルチキャストサービスを取得することと、
前記ＵＳＤメッセージにおいて示される前記周波数が前記現在の周波数でないとき、前記マルチキャストサービスが利用可能でないことを決定することと
を備える方法。
【請求項１０】
ユーザ機器（ＵＥ）によってマルチキャストサービスを取得するための方法であって、
ユーザサービス記述（ＵＳＤ）メッセージを受信することと、ここにおいて、前記ＵＳＤメッセージが前記ＵＥに関係のあるマルチキャストサービスの少なくとも１つの周波数を含む、
前記ＵＳＤメッセージに含まれる前記少なくとも１つの周波数が現在の周波数でないとき、他の周波数のための探索を実行することと、
ここにおいて、他の周波数のための前記探索は、
システム情報メッセージが受信されたことを決定することと、
前記システム情報メッセージが受信されたとき、前記ＵＳＤメッセージおよび前記システム情報メッセージに共通に含まれる周波数を決定することと、
前記共通周波数が近隣セル周波数であることを決定することと
を備え、
ｉ＝１からＮであり、Ｎが共通周波数の合計数である、ｉ番目の共通周波数に対して、前記マルチキャストサービスが成功裏に取得されるまで、他の周波数の前記探索は、
前記ｉ番目の共通周波数の優先順位を最も高い優先順位に設定することと、
前記ｉ番目の共通周波数の信号強度を測定することと、
前記ｉ番目の共通周波数の前記信号強度に基づいてセル再選択決定プロシージャを実行することと、
前記セル再選択決定プロシージャの結果に基づいて前記ｉ番目の共通周波数のセルに対するセル再選択を実行することと、
前記セル再選択が実行されるとき、前記ｉ番目の共通周波数の前記セルにおける前記マルチキャストサービスを取得することと、
前記マルチキャストサービスが成功裏に取得されるかどうかを判断することと
をさらに備える、
前記マルチキャストサービスが成功裏に取得されるとき、前記マルチキャストサービスを受信することと
を備える方法。
【請求項１１】
前記ＵＳＤメッセージに含まれる前記少なくとも１つの周波数が前記現在の周波数であるとき、前記マルチキャストサービスを取得することと、
前記マルチキャストサービスが成功裏に取得されるかどうかを判断することと、
前記マルチキャストサービスが成功裏に取得されるとき、前記マルチキャストサービスを受信することと、
前記マルチキャストサービスが成功裏に取得されないとき、他の周波数の前記探索を実行することと
をさらに備える、請求項１０に記載の方法。
【請求項１２】
他の周波数のための前記探索は、
前記システム情報メッセージが受信されないとき、前記マルチキャストサービスが利用可能でないことを決定することと、
前記セル再選択決定プロシージャの前記結果が、
前記ｉ番目の共通周波数の前記信号強度が閾値を超えないこと、
前記ｉ番目の共通周波数の前記信号強度が、所定の時間期間の間、前記閾値を超えないこと、
前記ＵＥが、少なくとも１秒間、現在のセルにとどまらないこと
のうちの少なくとも１つを決定するとき、ｉを増分することと、
前記マルチキャストサービスが成功裏に取得されないとき、ｉを増分することと、
ｉが最大Ｎまで増分された後、前記マルチキャストサービスが成功裏に取得されないとき、前記マルチキャストサービスが利用可能でないことを決定することと
のうちの少なくとも１つをさらに備える、請求項１０に記載の方法。
【請求項１３】
前記セル再選択決定プロシージャの前記結果が、
前記ｉ番目の共通周波数が前記最も高い優先順位を有することと、
前記ｉ番目の共通周波数の前記信号強度が、所定の時間期間の間、閾値よりも大きいことと、
前記ＵＥが、少なくとも１秒間、現在のセルにとどまることと
を決定するとき、前記ｉ番目の共通周波数の前記セルに対する前記セル再選択が実行される、
請求項１０に記載の方法。
【請求項１４】
前記システム情報メッセージは、システム情報ブロックタイプ５（ＳＩＢ５）メッセージであり、
前記閾値のための値と前記所定の時間期間のための値とは、前記ＳＩＢ５メッセージに含まれる
請求項１３に記載の方法。
【請求項１５】
前記ｉ番目の共通周波数がテンポラリモバイルグループ識別子（ＴＭＧＩ）を搬送していないとき、前記マルチキャストサービスは、成功裏に取得されない、
請求項１０に記載の方法。
【請求項１６】
前記ＵＳＤメッセージは、前記ＵＥに関係のある前記マルチキャストサービスの前記少なくとも１つの周波数に対応するサービスエリアをさらに含み、前記方法は、
前記サービスエリアを無視することと、
前記ＵＳＤメッセージに含まれる前記サービスエリアを考慮することなく、前記少なくとも１つの周波数に基づいて、他の周波数の前記探索を実行することと
をさらに備える、請求項１０に記載の方法。
【請求項１７】
ユーザ機器（ＵＥ）によってマルチキャストサービスを取得するための方法であって、
ユーザサービス記述（ＵＳＤ）メッセージを受信することと、ここにおいて、前記ＵＳＤメッセージは、前記ＵＥに関係のあるマルチキャストサービスの少なくとも１つの周波数を含む、
前記ＵＳＤメッセージに含まれる前記少なくとも１つの周波数が現在の周波数であるとき、前記マルチキャストサービスを取得することと、
前記マルチキャストサービスが成功裏に取得されないとき、前記マルチキャストサービスが利用可能でないことを決定することと、
前記ＵＳＤメッセージに含まれる前記少なくとも１つの周波数が前記現在の周波数でないとき、前記マルチキャストサービスが利用可能でないことを決定することと
を備える方法。
【請求項１８】
前記現在の周波数がテンポラリモバイルグループ識別子（ＴＭＧＩ）を搬送していないとき、前記マルチキャストサービスが成功裏に取得されない、
請求項１７に記載の方法。
【請求項１９】
マルチキャストを取得するための装置であって、
ユーザサービス記述（ＵＳＤ）メッセージを受信するための手段を備え、前記ＵＳＤメッセージは、前記装置に関係のあるマルチキャストサービスの周波数を示し、
前記ＵＳＤメッセージにおいて示される前記周波数が現在の周波数でなく、前記装置は、
システム情報メッセージが受信されたことを決定するための手段と、
前記システム情報メッセージが受信されたとき、前記ＵＳＤメッセージにおいて示される前記周波数が前記システム情報メッセージに含まれることを決定するための手段と、
前記周波数が前記システム情報メッセージに含まれるとき、前記周波数が近隣セルのセル周波数であることを決定し、前記周波数の優先順位を最も高い優先順位に設定し、前記周波数の信号強度を測定するための手段と、
前記周波数の前記信号強度に基づいてセル再選択決定プロシージャを実行するための手段と、
前記セル再選択決定プロシージャの結果に基づいて前記近隣セルに対するセル再選択を実行するための手段と、
前記周波数上の前記近隣セルからの前記マルチキャストサービスを取得するための手段と
をさらに備える装置。
【請求項２０】
前記ＵＳＤメッセージにおいて示される前記周波数が前記現在の周波数であるとき、前記マルチキャストサービスを取得するための手段をさらに備える、
請求項１９に記載の装置。
【請求項２１】
前記システム情報メッセージが受信されないとき、前記マルチキャストサービスが利用可能でないことを決定するための手段、
前記ＵＳＤメッセージにおいて示される前記周波数が前記システム情報メッセージに含まれていないとき、前記マルチキャストサービスが利用可能でないことを決定するための手段、
前記セル再選択プロシージャの前記結果が、
前記周波数の前記信号強度が閾値を超えないこと、
前記周波数の前記信号強度が、所定の時間期間の間、前記閾値を超えないこと、
前記装置が、少なくとも１秒間、現在のセルにとどまらないこと
のうちの少なくとも１つを決定するとき、前記マルチキャストサービスが利用可能でないことを決定するための手段
のうちの少なくとも１つをさらに備える、請求項１９に記載の装置。
【請求項２２】
前記セル再選択決定プロシージャの前記結果は、
前記周波数が前記最も高い優先順位を有することと、
前記周波数の前記信号強度が、所定の時間期間の間、閾値よりも大きいことと、
前記装置が、少なくとも１秒間、現在のセルにとどまることと
を決定するとき、前記近隣セルに対する前記セル再選択が実行される、請求項１９に記載の装置。
【請求項２３】
前記システム情報メッセージがシステム情報ブロックタイプ５（ＳＩＢ５）メッセージであり、
前記閾値の値と前記所定の時間期間の値とが、前記ＳＩＢ５メッセージに含まれる
請求項２２に記載の装置。
【請求項２４】
前記周波数上の前記近隣セルからの前記マルチキャストサービスが取得され、前記装置は、
前記周波数が新しい現在の周波数であることを決定するための手段と、
前記新しい現在の周波数の優先順位を最も高い優先順位に設定するための手段と、
前記新しい現在の周波数が前記最も高い優先順位を有し、
前記新しい現在の周波数の信号強度が第２の閾値未満であり、
第２の近隣セルの信号強度が、所定の時間期間の間、第３の閾値よりも大きく、
前記装置が、少なくとも１秒間、新しい現在のセルにとどまるとき、
前記第２の近隣セルに対するセル再選択を実行するための手段と
をさらに備える、請求項１９に記載の装置。
【請求項２５】
前記システム情報メッセージは、システム情報ブロックタイプ３（ＳＩＢ３）メッセージまたはシステム情報ブロックタイプ５（ＳＩＢ５）メッセージのうちの少なくとも一方であり、
前記第２の閾値の値は、前記ＳＩＢ３メッセージに含まれ、前記第３の閾値の値と前記所定の時間期間の値とが前記ＳＩＢ５メッセージに含まれる
請求項２４に記載の装置。
【請求項２６】
前記周波数上の前記近隣セルからの前記マルチキャストサービスが取得され、前記装置は、
異なる周波数上の利用可能な第２のマルチキャストサービスの受信を拒否するための手段、または
受信された取得命令に基づいて前記利用可能な第２のマルチキャストサービスを取得するための手段
のうちの１つをさらに備え、前記利用可能な第２のマルチキャストサービスを取得するための前記手段は、
現在のマルチキャストサービスを非アクティブ化することと、
前記異なる周波数の優先順位を最も高い優先順位に設定することと、
前記異なる周波数が前記最も高い優先順位を有し、
前記異なる周波数のセルの信号強度が、所定の時間期間の間、閾値よりも大きく、
前記装置が、少なくとも１秒間、現在のセルにとどまるとき
前記利用可能な第２のマルチキャストサービスを取得するために、前記異なる周波数の前記セルに対するセル再選択を実行することと
を行うように構成される、請求項１９に記載の装置。
【請求項２７】
マルチキャストサービスを取得するための装置であって、
ユーザサービス記述（ＵＳＤ）メッセージを受信するための手段であり、前記ＵＳＤメッセージが前記装置に関係のあるマルチキャストサービスの周波数を示す、手段と、
前記ＵＳＤメッセージにおいて示される前記周波数が現在の周波数であるとき、前記マルチキャストサービスを取得するための手段と、
前記ＵＳＤメッセージにおいて示される前記周波数が前記現在の周波数でないとき、前記マルチキャストサービスが利用可能でないことを決定するための手段と
を備える装置。
【請求項２８】
マルチキャストを取得するための装置であって、
ユーザサービス記述（ＵＳＤ）メッセージを受信するための手段と、ここにおいて前記ＵＳＤメッセージが前記装置に関係のあるマルチキャストサービスの少なくとも１つの周波数を含む、
前記ＵＳＤメッセージに含まれる前記少なくとも１つの周波数が現在の周波数でないとき、他の周波数の探索を実行するための手段と、ここにおいて、他の周波数の前記探索を実行するための前記手段は、
システム情報メッセージが受信されたことを決定し、
前記システム情報メッセージが受信されたとき、前記ＵＳＤメッセージおよび前記システム情報メッセージに共通に含まれる周波数を決定し、
前記共通周波数が近隣セル周波数であることを決定する
ように構成され、ｉ＝１からＮであり、Ｎが共通周波数の合計数である、ｉ番目の共通周波数に対して、前記マルチキャストサービスが成功裏に取得されるまで、他の周波数の前記探索を実行するための前記手段は、
前記ｉ番目の共通周波数の優先順位を最も高い優先順位に設定し、
前記ｉ番目の共通周波数の信号強度を測定し、
前記ｉ番目の共通周波数の前記信号強度に基づいてセル再選択決定プロシージャを実行し、
前記セル再選択決定プロシージャの結果に基づいて前記ｉ番目の共通周波数のセルに対するセル再選択を実行し、
前記セル再選択が実行されるとき、前記ｉ番目の共通周波数の前記セルにおける前記マルチキャストサービスを取得し、
前記マルチキャストサービスが成功裏に取得されるかどうかを判断する
ようにさらに構成される、
前記マルチキャストサービスが成功裏に取得されるとき、前記マルチキャストサービスを受信するための手段と
を備える装置。
【請求項２９】
前記ＵＳＤメッセージに含まれる前記少なくとも１つの周波数が前記現在の周波数であるとき、前記マルチキャストサービスを取得するための手段と、
前記マルチキャストサービスが成功裏に取得されるかどうかを判断するための手段と、
前記マルチキャストサービスが成功裏に取得されるとき、前記マルチキャストサービスを受信するための手段と、
前記マルチキャストサービスが成功裏に取得されないとき、他の周波数の前記探索を実行するための手段と
をさらに備える、請求項２８に記載の装置。
【請求項３０】
他の周波数の前記探索を実行するための前記手段は、
前記システム情報メッセージが受信されないとき、前記マルチキャストサービスが利用可能でないことを決定することと、
前記セル再選択決定プロシージャの前記結果が、
前記ｉ番目の共通周波数の前記信号強度が閾値を超えないこと、
前記ｉ番目の共通周波数の前記信号強度が、所定の時間期間の間、前記閾値を超えないこと、または
前記ＵＥが、少なくとも１秒間、現在のセルにとどまらないこと
のうちの少なくとも１つを決定するとき、ｉを増分することと、
前記マルチキャストサービスが成功裏に取得されないとき、ｉを増分することと、
ｉが最大Ｎまで増分された後、前記マルチキャストサービスが成功裏に取得されないとき、前記マルチキャストサービスが利用可能でないことを決定することと
のうちの少なくとも１つを行うようにさらに構成される、請求項２８に記載の装置。
【請求項３１】
前記セル再選択決定プロシージャの前記結果が、
前記ｉ番目の共通周波数が前記最も高い優先順位を有することと、
前記ｉ番目の共通周波数の前記信号強度が、所定の時間期間の間、閾値よりも大きいことと、
前記装置が、少なくとも１秒間、現在のセルにとどまることと
を決定するとき、前記ｉ番目の共通周波数の前記セルに対する前記セル再選択が実行される、
請求項２８に記載の装置。
【請求項３２】
前記システム情報メッセージがシステム情報ブロックタイプ５（ＳＩＢ５）メッセージであり、
前記閾値の値と前記所定の時間期間の値とが、前記ＳＩＢ５メッセージに含まれる
請求項３１に記載の装置。
【請求項３３】
前記ｉ番目の共通周波数がテンポラリモバイルグループ識別子（ＴＭＧＩ）を搬送していないとき、前記マルチキャストサービスが成功裏に取得されない、
請求項２８に記載の装置。
【請求項３４】
前記ＵＳＤメッセージが、前記装置に関係のある前記マルチキャストサービスの前記少なくとも１つの周波数に対応するサービスエリアをさらに含み、前記装置は、
前記サービスエリアを無視するための手段をさらに備え、
他の周波数の前記探索を実行するための前記手段が、前記ＵＳＤメッセージに含まれる前記サービスエリアを考慮することなく、前記少なくとも１つの周波数に基づいて、前記探索を実行するように構成される
請求項２８に記載の装置。
【請求項３５】
マルチキャストを取得するための装置であって、
ユーザサービス記述（ＵＳＤ）メッセージを受信するための手段と、ここにおいて、前記ＵＳＤメッセージが前記装置に関係のあるマルチキャストサービスの少なくとも１つの周波数を含む、
前記ＵＳＤメッセージに含まれる前記少なくとも１つの周波数が現在の周波数であるとき、前記マルチキャストサービスを取得するための手段と、
前記マルチキャストサービスが成功裏に取得されないとき、前記マルチキャストサービスが利用可能でないことを決定するための手段と、
前記ＵＳＤメッセージに含まれる前記少なくとも１つの周波数が前記現在の周波数でないとき、前記マルチキャストサービスが利用可能でないことを決定するための手段と
を備える装置。
【請求項３６】
前記現在の周波数がテンポラリモバイルグループ識別子（ＴＭＧＩ）を搬送していないとき、前記マルチキャストサービスが成功裏に取得されない、
請求項３５に記載の装置。
【請求項３７】
マルチキャストを取得するための装置であって、
処理システムを備え、前記処理システムは、
ユーザサービス記述（ＵＳＤ）メッセージを受信するように構成され、前記ＵＳＤメッセージは、前記装置に関係のあるマルチキャストサービスの周波数を示し、
前記ＵＳＤメッセージにおいて示される前記周波数は、現在の周波数でなく、前記処理システムは、
システム情報メッセージが受信されたことを決定し、
前記システム情報メッセージが受信されたとき、前記ＵＳＤメッセージにおいて示される前記周波数が前記システム情報メッセージに含まれることを決定し、
前記周波数が前記システム情報メッセージに含まれるとき、前記周波数が近隣セルのセル周波数であることを決定し、前記周波数の優先順位を最も高い優先順位に設定し、前記周波数の信号強度を測定し、
前記周波数の前記信号強度に基づいてセル再選択決定プロシージャを実行し、
前記セル再選択決定プロシージャの結果に基づいて前記近隣セルに対するセル再選択を実行し、
前記周波数上の前記近隣セルからの前記マルチキャストサービスを取得する
ようにさらに構成される、装置。
【請求項３８】
前記処理システムは、前記ＵＳＤメッセージにおいて示される前記周波数が前記現在の周波数であるとき、前記マルチキャストサービスを取得するようにさらに構成される、請求項３７に記載の装置。
【請求項３９】
前記処理システムは、
前記システム情報メッセージが受信されないとき、前記マルチキャストサービスが利用可能でないことを決定すること、
前記ＵＳＤメッセージにおいて示される前記周波数が前記システム情報メッセージに含まれていないとき、前記マルチキャストサービスが利用可能でないことを決定すること、または
前記セル再選択プロシージャの前記結果が、
前記周波数の前記信号強度が閾値を超えないこと、
前記周波数の前記信号強度が、所定の時間期間の間、前記閾値を超えないこと、または
前記装置が、少なくとも１秒間、現在のセルにとどまらないこと
のうちの少なくとも１つを決定するとき、前記マルチキャストサービスが利用可能でないことを決定すること
のうちの少なくとも１つを行うようにさらに構成される、請求項３７に記載の装置。
【請求項４０】
前記セル再選択決定プロシージャの前記結果が、
前記周波数が前記最も高い優先順位を有することと、
前記周波数の前記信号強度が、所定の時間期間の間、閾値よりも大きいことと、
前記装置が、少なくとも１秒間、現在のセルにとどまることと
を決定するとき、前記近隣セルに対する前記セル再選択が実行される、請求項３７に記載の装置。
【請求項４１】
前記システム情報メッセージは、システム情報ブロックタイプ５（ＳＩＢ５）メッセージであり、
前記閾値の値と前記所定の時間期間の値とは、前記ＳＩＢ５メッセージに含まれる
請求項４０に記載の装置。
【請求項４２】
前記周波数上の前記近隣セルからの前記マルチキャストサービスが取得され、前記処理システムが、
前記周波数が新しい現在の周波数であることを決定することと、
前記新しい現在の周波数の優先順位を最も高い優先順位に設定することと、
前記新しい現在の周波数が前記最も高い優先順位を有し、
前記新しい現在の周波数の信号強度が第２の閾値未満であり、
第２の近隣セルの信号強度が、所定の時間期間の間、第３の閾値よりも大きく、
前記装置が、少なくとも１秒間、新しい現在のセルにとどまるとき
前記第２の近隣セルに対するセル再選択を実行することと
を行うようにさらに構成される、請求項３７に記載の装置。
【請求項４３】
前記システム情報メッセージは、システム情報ブロックタイプ３（ＳＩＢ３）メッセージまたはシステム情報ブロックタイプ５（ＳＩＢ５）メッセージのうちの少なくとも一方であり、
前記第２の閾値の値が前記ＳＩＢ３メッセージに含まれ、前記第３の閾値の値と前記所定の時間期間の値とが前記ＳＩＢ５メッセージに含まれる
請求項４２に記載の装置。
【請求項４４】
前記周波数上の前記近隣セルからの前記マルチキャストサービスが取得され、前記処理システムが、
異なる周波数上の利用可能な第２のマルチキャストサービスの受信を拒否すること、または
受信された取得命令に基づいて前記利用可能な第２のマルチキャストサービスを取得すること
のうちの１つを行うようにさらに構成され、前記利用可能な第２のマルチキャストサービスを取得するように構成された前記処理システムは、
現在のマルチキャストサービスを非アクティブ化することと、
前記異なる周波数の優先順位を最も高い優先順位に設定することと、
前記異なる周波数が前記最も高い優先順位を有し、
前記異なる周波数のセルの信号強度が、所定の時間期間の間、閾値よりも大きく、
前記装置が、少なくとも１秒間、現在のセルにとどまるとき
前記利用可能な第２のマルチキャストサービスを取得するために、前記異なる周波数の前記セルに対するセル再選択を実行することと
を行うようにさらに構成される、請求項３７に記載の装置。
【請求項４５】
マルチキャストを取得するための装置であって、
処理システムを備え、前記処理システムは、
ユーザサービス記述（ＵＳＤ）メッセージを受信することと、ここにおいて、前記ＵＳＤメッセージは、前記装置に関係のあるマルチキャストサービスの周波数を示す、
前記ＵＳＤメッセージにおいて示される前記周波数が現在の周波数であるとき、前記マルチキャストサービスを取得することと、
前記ＵＳＤメッセージにおいて示される前記周波数が前記現在の周波数でないとき、前記マルチキャストサービスが利用可能でないことを決定することと
を行うように構成される装置。
【請求項４６】
マルチキャストを取得するための装置であって、
処理システムを備え、前記処理システムは、
ユーザサービス記述（ＵＳＤ）メッセージを受信することと、ここにおいて、前記ＵＳＤメッセージは、前記装置に関係のあるマルチキャストサービスの少なくとも１つの周波数を含む、
前記ＵＳＤメッセージに含まれる前記少なくとも１つの周波数が現在の周波数でないとき、他の周波数の探索を実行することと、ここにおいて、他の周波数を探索するように構成された前記処理システムは、
システム情報メッセージが受信されたことを決定し、
前記システム情報メッセージが受信されたとき、前記ＵＳＤメッセージおよび前記システム情報メッセージに共通に含まれる周波数を決定し、
前記共通周波数が近隣セル周波数であることを決定する、
ようにさらに構成され、ｉ＝１からＮであり、Ｎが共通周波数の合計数である、ｉ番目の共通周波数に対して、前記マルチキャストサービスが成功裏に取得されるまで、他の周波数を探索するように構成された前記処理システムは、
前記ｉ番目の共通周波数の優先順位を最も高い優先順位に設定し、
前記ｉ番目の共通周波数の信号強度を測定し、
前記ｉ番目の共通周波数の前記信号強度に基づいてセル再選択決定プロシージャを実行し、
前記セル再選択決定プロシージャの結果に基づいて前記ｉ番目の共通周波数のセルに対するセル再選択を実行し、
前記セル再選択が実行されるとき、前記ｉ番目の共通周波数の前記セルにおける前記マルチキャストサービスを取得し、
前記マルチキャストサービスが成功裏に取得されるかどうかを判断する
ようにさらに構成される、
前記マルチキャストサービスが成功裏に取得されるとき、前記マルチキャストサービスを受信することと
を行うように構成される、装置。
【請求項４７】
前記処理システムは、
前記ＵＳＤメッセージに含まれる前記少なくとも１つの周波数が前記現在の周波数であるとき、前記マルチキャストサービスを取得し、
前記マルチキャストサービスが成功裏に取得されるかどうかを判断し、
前記マルチキャストサービスが成功裏に取得されるとき、前記マルチキャストサービスを受信し、
前記マルチキャストサービスが成功裏に取得されないとき、他の周波数の前記探索を実行する
ようにさらに構成される、請求項４６に記載の装置。
【請求項４８】
他の周波数を探索するように構成される前記処理システムが、
前記システム情報メッセージが受信されないとき、前記マルチキャストサービスが利用可能でないことを決定することと、
前記セル再選択決定プロシージャの前記結果は、
前記ｉ番目の共通周波数の前記信号強度が閾値を超えないこと、
前記ｉ番目の共通周波数の前記信号強度が、所定の時間期間の間、前記閾値を超えないこと、または
前記装置が、少なくとも１秒間、現在のセルにとどまらないこと
のうちの少なくとも１つを決定するとき、ｉを増分することと、
前記マルチキャストサービスが成功裏に取得されないとき、ｉを増分することと、
ｉが最大Ｎまで増分された後、前記マルチキャストサービスが成功裏に取得されないとき、前記マルチキャストサービスが利用可能でないことを決定することと
のうちの少なくとも１つを行うようにさらに構成される、請求項４６に記載の装置。
【請求項４９】
前記セル再選択決定プロシージャの前記結果は、
前記ｉ番目の共通周波数が前記最も高い優先順位を有することと、
前記ｉ番目の共通周波数の前記信号強度が、所定の時間期間の間、閾値よりも大きいことと、
前記装置が、少なくとも１秒間、現在のセルにとどまることと
を決定するとき、前記ｉ番目の共通周波数の前記セルに対する前記セル再選択が実行される、
請求項４６に記載の装置。
【請求項５０】
前記システム情報メッセージは、システム情報ブロックタイプ５（ＳＩＢ５）メッセージであり、
前記閾値の値と前記所定の時間期間の値とは、前記ＳＩＢ５メッセージに含まれる
請求項４９に記載の装置。
【請求項５１】
前記ｉ番目の共通周波数がテンポラリモバイルグループ識別子（ＴＭＧＩ）を搬送していないとき、前記マルチキャストサービスが成功裏に取得されない、
請求項４６に記載の装置。
【請求項５２】
前記ＵＳＤメッセージは、前記装置に関係のある前記マルチキャストサービスの前記少なくとも１つの周波数に対応するサービスエリアをさらに含み、前記処理システムは、
前記サービスエリアを無視し、
前記ＵＳＤメッセージに含まれる前記サービスエリアを考慮することなく、前記少なくとも１つの周波数に基づいて、他の周波数の前記探索を実行する
ようにさらに構成される、請求項４６に記載の装置。
【請求項５３】
マルチキャストを取得するための装置であって、
処理システムを備え、前記処理システムは、
ユーザサービス記述（ＵＳＤ）メッセージを受信することであって、前記ＵＳＤメッセージが前記装置に関係のあるマルチキャストサービスの少なくとも１つの周波数を含む、受信することと、
前記ＵＳＤメッセージに含まれる前記少なくとも１つの周波数が現在の周波数であるとき、前記マルチキャストサービスを取得することと、
前記マルチキャストサービスが成功裏に取得されないとき、前記マルチキャストサービスが利用可能でないことを決定することと、
前記ＵＳＤメッセージに含まれる前記少なくとも１つの周波数が前記現在の周波数でないとき、前記マルチキャストサービスが利用可能でないことを決定することと
を行うように構成される、装置。
【請求項５４】
前記現在の周波数がテンポラリモバイルグループ識別子（ＴＭＧＩ）を搬送していないとき、前記マルチキャストサービスが成功裏に取得されない、
請求項５３に記載の装置。
【請求項５５】
ユーザ機器（ＵＥ）によってマルチキャストサービスを取得するための非一時的コンピュータ可読媒体であって、
ユーザサービス記述（ＵＳＤ）メッセージを受信するためのコードを備え、前記ＵＳＤメッセージは、前記ＵＥに関係のあるマルチキャストサービスの周波数を示し、
前記ＵＳＤメッセージにおいて示される前記周波数が現在の周波数でなく、前記非一時的コンピュータ可読媒体は、
システム情報メッセージが受信されたことを決定するためのコードと、
前記システム情報メッセージが受信されたとき、前記ＵＳＤメッセージにおいて示される前記周波数が前記システム情報メッセージに含まれることを決定するためのコードと、
前記周波数が前記システム情報メッセージに含まれるとき、前記周波数が近隣セルのセル周波数であることを決定し、前記周波数の優先順位を最も高い優先順位に設定し、前記周波数の信号強度を測定するためのコードと、
前記周波数の前記信号強度に基づいてセル再選択決定プロシージャを実行するためのコードと、
前記セル再選択決定プロシージャの結果に基づいて前記近隣セルに対するセル再選択を実行するためのコードと、
前記周波数上の前記近隣セルからの前記マルチキャストサービスを取得するためのコードと
をさらに備える非一時的コンピュータ可読媒体。
【請求項５６】
ユーザ機器（ＵＥ）によってマルチキャストサービスを取得するための非一時的コンピュータ可読媒体であって、
ユーザサービス記述（ＵＳＤ）メッセージを受信するためのコードと、ここにおいて、前記ＵＳＤメッセージは、前記ＵＥに関係のあるマルチキャストサービスの周波数を示す、
前記ＵＳＤメッセージにおいて示される前記周波数が現在の周波数であるとき、前記マルチキャストサービスを取得するためのコードと、
前記ＵＳＤメッセージにおいて示される前記周波数が前記現在の周波数でないとき、前記マルチキャストサービスが利用可能でないことを決定するためのコードと
を備える非一時的コンピュータ可読媒体。
【請求項５７】
ユーザ機器（ＵＥ）によってマルチキャストサービスを取得するための非一時的コンピュータ可読媒体であって、
ユーザサービス記述（ＵＳＤ）メッセージを受信するためのコードと、前記ＵＳＤメッセージが前記ＵＥに関係のあるマルチキャストサービスの少なくとも１つの周波数を含む、
前記ＵＳＤメッセージに含まれる前記少なくとも１つの周波数が現在の周波数でないとき、他の周波数の探索を実行するためのコードと、ここにおいて、他の周波数の前記探索を実行するための前記コードは、
システム情報メッセージが受信されたことを決定し、
前記システム情報メッセージが受信されたとき、前記ＵＳＤメッセージおよび前記システム情報メッセージに共通に含まれる周波数を決定し、
前記共通周波数が近隣セル周波数であることを決定するように構成され、
ｉ＝１からＮであり、Ｎが共通周波数の合計数である、ｉ番目の共通周波数に対して、前記マルチキャストサービスが成功裏に取得されるまで、他の周波数の前記探索を実行するための前記コードは、
前記ｉ番目の共通周波数の優先順位を最も高い優先順位に設定し、
前記ｉ番目の共通周波数の信号強度を測定し、
前記ｉ番目の共通周波数の前記信号強度に基づいてセル再選択決定プロシージャを実行し、
前記セル再選択決定プロシージャの結果に基づいて前記ｉ番目の共通周波数のセルに対するセル再選択を実行し、
前記セル再選択が実行されるとき、前記ｉ番目の共通周波数の前記セルにおける前記マルチキャストサービスを取得し、
前記マルチキャストサービスが成功裏に取得されるかどうかを判断する
ようにさらに構成される、
前記マルチキャストサービスが成功裏に取得されるとき、前記マルチキャストサービスを受信するためのコードと
を備える非一時的コンピュータ可読媒体。
【請求項５８】
ユーザ機器（ＵＥ）によってマルチキャストサービスを取得するための非一時的コンピュータ可読媒体であって、
ユーザサービス記述（ＵＳＤ）メッセージを受信するためのコードと、ここにおいて、前記ＵＳＤメッセージが前記ＵＥに関係のあるマルチキャストサービスの少なくとも１つの周波数を含む、
前記ＵＳＤメッセージに含まれる前記少なくとも１つの周波数が現在の周波数であるとき、前記マルチキャストサービスを取得するためのコードと、
前記マルチキャストサービスが成功裏に取得されないとき、前記マルチキャストサービスが利用可能でないことを決定するためのコードと、
前記ＵＳＤメッセージに含まれる前記少なくとも１つの周波数が前記現在の周波数でないとき、前記マルチキャストサービスが利用可能でないことを決定するためのコードと
を備える非一時的コンピュータ可読媒体。
【手続補正２】
【補正対象書類名】明細書
【補正対象項目名】０１２０
【補正方法】変更
【補正の内容】
【０１２０】
[00133]以上の説明は、本明細書で説明した様々な態様を当業者が実施できるようにするために与えたものである。これらの態様に対する様々な変更は当業者には容易に明らかになり、本明細書で定義した一般的原理は他の態様に適用されてよい。したがって、特許請求の範囲は、本明細書に示された態様に限定されるものではなく、特許請求の範囲の文言に矛盾しない最大限の範囲を与えられるべきであり、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に本願発明の当初の特許請求の範囲に記載された発明を付記する。
［Ｃ１］
ユーザ機器（ＵＥ）がマルチキャストサービスを取得するための方法であって、
ユーザサービス記述（ＵＳＤ）メッセージを受信することを備え、前記ＵＳＤメッセージは、前記ＵＥに関係のあるマルチキャストサービスの周波数を示し、
前記ＵＳＤメッセージにおいて示される前記周波数が現在の周波数でないとき、前記方法は、
システム情報メッセージが受信されたことを決定することと、
前記システム情報メッセージが受信されたとき、前記ＵＳＤメッセージにおいて示される前記周波数が前記システム情報メッセージに含まれることを決定することと、
前記周波数が前記システム情報メッセージに含まれるとき、前記周波数が近隣セル周波数であることを決定し、前記周波数の優先順位を最も高い優先順位に設定し、前記周波数の信号強度を測定することと、
前記周波数の前記信号強度に基づいてセル再選択決定プロシージャを実行することと、
前記セル再選択決定プロシージャの結果に基づいて前記近隣セルに対するセル再選択を実行することと、
前記周波数上の前記近隣セルにおける前記マルチキャストサービスを取得することと
をさらに備える方法。
［Ｃ２］
前記ＵＳＤメッセージにおいて示される前記周波数が前記現在の周波数であるとき、前記マルチキャストサービスを取得することをさらに備える、
Ｃ１に記載の方法。
［Ｃ３］
前記システム情報メッセージが受信されないとき、前記マルチキャストサービスが利用可能でないことを決定すること、
前記ＵＳＤメッセージにおいて示される前記周波数が前記システム情報メッセージに含まれていないとき、前記マルチキャストサービスが利用可能でないことを決定すること、または
前記セル再選択プロシージャの前記結果が、
前記周波数の前記信号強度が閾値を超えないこと、
前記周波数の前記信号強度が、所定の時間期間の間、前記閾値を超えないこと、または
前記ＵＥが、少なくとも１秒間、現在のセルにとどまらないこと
のうちの少なくとも１つを決定するとき、前記マルチキャストサービスが利用可能でないことを決定すること
のうちの少なくとも１つをさらに備える、Ｃ１に記載の方法。
［Ｃ４］
前記セル再選択決定プロシージャの前記結果が、
前記周波数が最も高い優先順位を有することと、
前記周波数の前記信号強度が、所定の時間期間の間、閾値よりも大きいことと、
前記ＵＥが、少なくとも１秒間、現在のセルにとどまることと
を決定するとき、前記近隣セルに対する前記セル再選択が実行される、
Ｃ１に記載の方法。
［Ｃ５］
前記システム情報メッセージは、システム情報ブロックタイプ５（ＳＩＢ５）メッセージであり、
前記閾値のための値と前記所定の時間期間のための値とは、前記ＳＩＢ５メッセージに含まれる
Ｃ４に記載の方法。
［Ｃ６］
前記周波数上の前記近隣セルにおける前記マルチキャストサービスが取得され、前記方法は、
前記周波数が新しい現在の周波数であることを決定することと、
前記新しい現在の周波数の優先順位を最も高い優先順位に設定することと、
前記新しい現在の周波数が最も高い優先順位を有し、
前記新しい現在の周波数の信号強度が第２の閾値未満であり、
前記第２の近隣セルの信号強度が、所定の時間期間の間、第３の閾値よりも大きく、
前記ＵＥが、少なくとも１秒間、新しい現在のセルにとどまるとき
第２の近隣セルに対するセル再選択を実行することと
をさらに備える、Ｃ１に記載の方法。
［Ｃ７］
前記システム情報メッセージは、システム情報ブロックタイプ３（ＳＩＢ３）メッセージまたはシステム情報ブロックタイプ５（ＳＩＢ５）メッセージのうちの少なくとも１つであり、
前記第２の閾値のための値は、前記ＳＩＢ３メッセージに含まれ、前記第３の閾値のための値と前記所定の時間期間のための値とは、前記ＳＩＢ５メッセージに含まれる
Ｃ６に記載の方法。
［Ｃ８］
前記周波数上の前記近隣セルにおける前記マルチキャストサービスが取得され、前記方法は、
異なる周波数上の利用可能な第２のマルチキャストサービスの受信を拒否すること、
受信された取得命令に基づいて前記利用可能な第２のマルチキャストサービスを取得すること
のうちの１つをさらに備え、前記利用可能な第２のマルチキャストサービスを前記取得することは、
現在のマルチキャストサービスを非アクティブ化することと、
前記異なる周波数の優先順位を最も高い優先順位に設定することと、
前記異なる周波数が前記最も高い優先順位を有し、
前記異なる周波数の前記セルの信号強度が、所定の時間期間の間、閾値よりも大きく、
前記ＵＥが、少なくとも１秒間、現在のセルにとどまるとき
前記利用可能な第２のマルチキャストサービスを取得するために、前記異なる周波数のセルに対するセル再選択を実行することと
をさらに備える、Ｃ１に記載の方法。
［Ｃ９］
ユーザ機器（ＵＥ）によってマルチキャストサービスを取得するための方法であって、
ユーザサービス記述（ＵＳＤ）メッセージを受信することと、ここにおいて、前記ＵＳＤメッセージは、前記ＵＥに関係のあるマルチキャストサービスの周波数を示す、
前記ＵＳＤメッセージにおいて示される前記周波数が現在の周波数であるとき、前記マルチキャストサービスを取得することと、
前記ＵＳＤメッセージにおいて示される前記周波数が前記現在の周波数でないとき、前記マルチキャストサービスが利用可能でないことを決定することと
を備える方法。
［Ｃ１０］
ユーザ機器（ＵＥ）によってマルチキャストサービスを取得するための方法であって、
ユーザサービス記述（ＵＳＤ）メッセージを受信することと、ここにおいて、前記ＵＳＤメッセージが前記ＵＥに関係のあるマルチキャストサービスの少なくとも１つの周波数を含む、
前記ＵＳＤメッセージに含まれる前記少なくとも１つの周波数が現在の周波数でないとき、他の周波数のための探索を実行することと、
ここにおいて、他の周波数のための前記探索は、
システム情報メッセージが受信されたことを決定することと、
前記システム情報メッセージが受信されたとき、前記ＵＳＤメッセージおよび前記システム情報メッセージに共通に含まれる周波数を決定することと、
前記共通周波数が近隣セル周波数であることを決定することと
を備え、
ｉ＝１からＮであり、Ｎが共通周波数の合計数である、ｉ番目の共通周波数に対して、前記マルチキャストサービスが成功裏に取得されるまで、他の周波数の前記探索は、
前記ｉ番目の共通周波数の優先順位を最も高い優先順位に設定することと、
前記ｉ番目の共通周波数の信号強度を測定することと、
前記ｉ番目の共通周波数の前記信号強度に基づいてセル再選択決定プロシージャを実行することと、
前記セル再選択決定プロシージャの結果に基づいて前記ｉ番目の共通周波数のセルに対するセル再選択を実行することと、
前記セル再選択が実行されるとき、前記ｉ番目の共通周波数の前記セルにおける前記マルチキャストサービスを取得することと、
前記マルチキャストサービスが成功裏に取得されるかどうかを判断することと
をさらに備える、
前記マルチキャストサービスが成功裏に取得されるとき、前記マルチキャストサービスを受信することと
を備える方法。
［Ｃ１１］
前記ＵＳＤメッセージに含まれる前記少なくとも１つの周波数が前記現在の周波数であるとき、前記マルチキャストサービスを取得することと、
前記マルチキャストサービスが成功裏に取得されるかどうかを判断することと、
前記マルチキャストサービスが成功裏に取得されるとき、前記マルチキャストサービスを受信することと、
前記マルチキャストサービスが成功裏に取得されないとき、他の周波数の前記探索を実行することと
をさらに備える、Ｃ１０に記載の方法。
［Ｃ１２］
他の周波数のための前記探索は、
前記システム情報メッセージが受信されないとき、前記マルチキャストサービスが利用可能でないことを決定することと、
前記セル再選択決定プロシージャの前記結果が、
前記ｉ番目の共通周波数の前記信号強度が閾値を超えないこと、
前記ｉ番目の共通周波数の前記信号強度が、所定の時間期間の間、前記閾値を超えないこと、
前記ＵＥが、少なくとも１秒間、現在のセルにとどまらないこと
のうちの少なくとも１つを決定するとき、ｉを増分することと、
前記マルチキャストサービスが成功裏に取得されないとき、ｉを増分することと、
ｉが最大Ｎまで増分された後、前記マルチキャストサービスが成功裏に取得されないとき、前記マルチキャストサービスが利用可能でないことを決定することと
のうちの少なくとも１つをさらに備える、Ｃ１０に記載の方法。
［Ｃ１３］
前記セル再選択決定プロシージャの前記結果が、
前記ｉ番目の共通周波数が前記最も高い優先順位を有することと、
前記ｉ番目の共通周波数の前記信号強度が、所定の時間期間の間、閾値よりも大きいことと、
前記ＵＥが、少なくとも１秒間、現在のセルにとどまることと
を決定するとき、前記ｉ番目の共通周波数の前記セルに対する前記セル再選択が実行される、
Ｃ１０に記載の方法。
［Ｃ１４］
前記システム情報メッセージは、システム情報ブロックタイプ５（ＳＩＢ５）メッセージであり、
前記閾値のための値と前記所定の時間期間のための値とは、前記ＳＩＢ５メッセージに含まれる
Ｃ１３に記載の方法。
［Ｃ１５］
前記ｉ番目の共通周波数がテンポラリモバイルグループ識別子（ＴＭＧＩ）を搬送していないとき、前記マルチキャストサービスは、成功裏に取得されない、
Ｃ１０に記載の方法。
［Ｃ１６］
前記ＵＳＤメッセージは、前記ＵＥに関係のある前記マルチキャストサービスの前記少なくとも１つの周波数に対応するサービスエリアをさらに含み、前記方法は、
前記サービスエリアを無視することと、
前記ＵＳＤメッセージに含まれる前記サービスエリアを考慮することなく、前記少なくとも１つの周波数に基づいて、他の周波数の前記探索を実行することと
をさらに備える、Ｃ１０に記載の方法。
［Ｃ１７］
ユーザ機器（ＵＥ）によってマルチキャストサービスを取得するための方法であって、
ユーザサービス記述（ＵＳＤ）メッセージを受信することと、ここにおいて、前記ＵＳＤメッセージは、前記ＵＥに関係のあるマルチキャストサービスの少なくとも１つの周波数を含む、
前記ＵＳＤメッセージに含まれる前記少なくとも１つの周波数が現在の周波数であるとき、前記マルチキャストサービスを取得することと、
前記マルチキャストサービスが成功裏に取得されないとき、前記マルチキャストサービスが利用可能でないことを決定することと、
前記ＵＳＤメッセージに含まれる前記少なくとも１つの周波数が前記現在の周波数でないとき、前記マルチキャストサービスが利用可能でないことを決定することと
を備える方法。
［Ｃ１８］
前記現在の周波数がテンポラリモバイルグループ識別子（ＴＭＧＩ）を搬送していないとき、前記マルチキャストサービスが成功裏に取得されない、
Ｃ１７に記載の方法。
［Ｃ１９］
マルチキャストを取得するための装置であって、
ユーザサービス記述（ＵＳＤ）メッセージを受信するための手段を備え、前記ＵＳＤメッセージは、前記装置に関係のあるマルチキャストサービスの周波数を示し、
前記ＵＳＤメッセージにおいて示される前記周波数が現在の周波数でなく、前記装置は、
システム情報メッセージが受信されたことを決定するための手段と、
前記システム情報メッセージが受信されたとき、前記ＵＳＤメッセージにおいて示される前記周波数が前記システム情報メッセージに含まれることを決定するための手段と、
前記周波数が前記システム情報メッセージに含まれるとき、前記周波数が近隣セル周波数であることを決定し、前記周波数の優先順位を最も高い優先順位に設定し、前記周波数の信号強度を測定するための手段と、
前記周波数の前記信号強度に基づいてセル再選択決定プロシージャを実行するための手段と、
前記セル再選択決定プロシージャの結果に基づいて前記近隣セルに対するセル再選択を実行するための手段と、
前記周波数上の前記近隣セルにおける前記マルチキャストサービスを取得するための手段と
をさらに備える装置。
［Ｃ２０］
前記ＵＳＤメッセージにおいて示される前記周波数が前記現在の周波数であるとき、前記マルチキャストサービスを取得するための手段をさらに備える、
Ｃ１９に記載の装置。
［Ｃ２１］
前記システム情報メッセージが受信されないとき、前記マルチキャストサービスが利用可能でないことを決定するための手段、
前記ＵＳＤメッセージにおいて示される前記周波数が前記システム情報メッセージに含まれていないとき、前記マルチキャストサービスが利用可能でないことを決定するための手段、
前記セル再選択プロシージャの前記結果が、
前記周波数の前記信号強度が閾値を超えないこと、
前記周波数の前記信号強度が、所定の時間期間の間、前記閾値を超えないこと、
前記装置が、少なくとも１秒間、現在のセルにとどまらないこと
のうちの少なくとも１つを決定するとき、前記マルチキャストサービスが利用可能でないことを決定するための手段
のうちの少なくとも１つをさらに備える、Ｃ１９に記載の装置。
［Ｃ２２］
前記セル再選択決定プロシージャの前記結果は、
前記周波数が最も高い優先順位を有することと、
前記周波数の前記信号強度が、所定の時間期間の間、閾値よりも大きいことと、
前記装置が、少なくとも１秒間、現在のセルにとどまることと
を決定するとき、前記近隣セルに対する前記セル再選択が実行される、Ｃ１９に記載の装置。
［Ｃ２３］
前記システム情報メッセージがシステム情報ブロックタイプ５（ＳＩＢ５）メッセージであり、
前記閾値の値と前記所定の時間期間の値とが、前記ＳＩＢ５メッセージに含まれる
Ｃ２２に記載の装置。
［Ｃ２４］
前記周波数上の前記近隣セルにおける前記マルチキャストサービスが取得され、前記装置は、
前記周波数が新しい現在の周波数であることを決定するための手段と、
前記新しい現在の周波数の優先順位を最も高い優先順位に設定するための手段と、
前記新しい現在の周波数が最も高い優先順位を有し、
前記新しい現在の周波数の信号強度が第２の閾値未満であり、
前記第２の近隣セルの信号強度が、所定の時間期間の間、第３の閾値よりも大きく、
前記装置が、少なくとも１秒間、新しい現在のセルにとどまるとき、
第２の近隣セルに対するセル再選択を実行するための手段と
をさらに備える、Ｃ１９に記載の装置。
［Ｃ２５］
前記システム情報メッセージは、システム情報ブロックタイプ３（ＳＩＢ３）メッセージまたはシステム情報ブロックタイプ５（ＳＩＢ５）メッセージのうちの少なくとも一方であり、
前記第２の閾値の値は、前記ＳＩＢ３メッセージに含まれ、前記第３の閾値の値と前記所定の時間期間の値とが前記ＳＩＢ５メッセージに含まれる
Ｃ２４に記載の装置。
［Ｃ２６］
前記周波数上の前記近隣セルにおける前記マルチキャストサービスが取得され、前記装置は、
異なる周波数上の利用可能な第２のマルチキャストサービスの受信を拒否するための手段、または
受信された取得命令に基づいて前記利用可能な第２のマルチキャストサービスを取得するための手段
のうちの１つをさらに備え、前記利用可能な第２のマルチキャストサービスを取得するための前記手段は、
現在のマルチキャストサービスを非アクティブ化することと、
前記異なる周波数の優先順位を最も高い優先順位に設定することと、
前記異なる周波数が前記最も高い優先順位を有し、
前記異なる周波数の前記セルの信号強度が、所定の時間期間の間、閾値よりも大きく、
前記装置が、少なくとも１秒間、現在のセルにとどまるとき
前記利用可能な第２のマルチキャストサービスを取得するために、前記異なる周波数のセルに対するセル再選択を実行することと
を行うように構成される、Ｃ１９に記載の装置。
［Ｃ２７］
マルチキャストサービスを取得するための装置であって、
ユーザサービス記述（ＵＳＤ）メッセージを受信するための手段であり、前記ＵＳＤメッセージが前記装置に関係のあるマルチキャストサービスの周波数を示す、手段と、
前記ＵＳＤメッセージにおいて示される前記周波数が現在の周波数であるとき、前記マルチキャストサービスを取得するための手段と、
前記ＵＳＤメッセージにおいて示される前記周波数が前記現在の周波数でないとき、前記マルチキャストサービスが利用可能でないことを決定するための手段と
を備える装置。
［Ｃ２８］
マルチキャストを取得するための装置であって、
ユーザサービス記述（ＵＳＤ）メッセージを受信するための手段と、ここにおいて前記ＵＳＤメッセージが前記装置に関係のあるマルチキャストサービスの少なくとも１つの周波数を含む、
前記ＵＳＤメッセージに含まれる前記少なくとも１つの周波数が現在の周波数でないとき、他の周波数の探索を実行するための手段と、ここにおいて、他の周波数の前記探索を実行するための前記手段は、
システム情報メッセージが受信されたことを決定し、
前記システム情報メッセージが受信されたとき、前記ＵＳＤメッセージおよび前記システム情報メッセージに共通に含まれる周波数を決定し、
前記共通周波数が近隣セル周波数であることを決定する
ように構成され、ｉ＝１からＮであり、Ｎが共通周波数の合計数である、ｉ番目の共通周波数に対して、前記マルチキャストサービスが成功裏に取得されるまで、他の周波数の前記探索を実行するための前記手段は、
前記ｉ番目の共通周波数の優先順位を最も高い優先順位に設定し、
前記ｉ番目の共通周波数の信号強度を測定し、
前記ｉ番目の共通周波数の前記信号強度に基づいてセル再選択決定プロシージャを実行し、
前記セル再選択決定プロシージャの結果に基づいて前記ｉ番目の共通周波数のセルに対するセル再選択を実行し、
前記セル再選択が実行されるとき、前記ｉ番目の共通周波数の前記セルにおける前記マルチキャストサービスを取得し、
前記マルチキャストサービスが成功裏に取得されるかどうかを判断する
ようにさらに構成される、
前記マルチキャストサービスが成功裏に取得されるとき、前記マルチキャストサービスを受信するための手段と
を備える装置。
［Ｃ２９］
前記ＵＳＤメッセージに含まれる前記少なくとも１つの周波数が前記現在の周波数であるとき、前記マルチキャストサービスを取得するための手段と、
前記マルチキャストサービスが成功裏に取得されるかどうかを判断するための手段と、
前記マルチキャストサービスが成功裏に取得されるとき、前記マルチキャストサービスを受信するための手段と、
前記マルチキャストサービスが成功裏に取得されないとき、他の周波数の前記探索を実行するための手段と
をさらに備える、Ｃ２８に記載の装置。
［Ｃ３０］
他の周波数の前記探索を実行するための前記手段は、
前記システム情報メッセージが受信されないとき、前記マルチキャストサービスが利用可能でないことを決定することと、
前記セル再選択決定プロシージャの前記結果が、
前記ｉ番目の共通周波数の前記信号強度が閾値を超えないこと、
前記ｉ番目の共通周波数の前記信号強度が、所定の時間期間の間、前記閾値を超えないこと、または
前記ＵＥが、少なくとも１秒間、現在のセルにとどまらないこと
のうちの少なくとも１つを決定するとき、ｉを増分することと、
前記マルチキャストサービスが成功裏に取得されないとき、ｉを増分することと、
ｉが最大Ｎまで増分された後、前記マルチキャストサービスが成功裏に取得されないとき、前記マルチキャストサービスが利用可能でないことを決定することと
のうちの少なくとも１つを行うようにさらに構成される、Ｃ２８に記載の装置。
［Ｃ３１］
前記セル再選択決定プロシージャの前記結果が、
前記ｉ番目の共通周波数が前記最も高い優先順位を有することと、
前記ｉ番目の共通周波数の前記信号強度が、所定の時間期間の間、閾値よりも大きいことと、
前記装置が、少なくとも１秒間、現在のセルにとどまることと
を決定するとき、前記ｉ番目の共通周波数の前記セルに対する前記セル再選択が実行される、
Ｃ２８に記載の装置。
［Ｃ３２］
前記システム情報メッセージがシステム情報ブロックタイプ５（ＳＩＢ５）メッセージであり、
前記閾値の値と前記所定の時間期間の値とが、前記ＳＩＢ５メッセージに含まれる
Ｃ３１に記載の装置。
［Ｃ３３］
前記ｉ番目の共通周波数がテンポラリモバイルグループ識別子（ＴＭＧＩ）を搬送していないとき、前記マルチキャストサービスが成功裏に取得されない、
Ｃ２８に記載の装置。
［Ｃ３４］
前記ＵＳＤメッセージが、前記装置に関係のある前記マルチキャストサービスの前記少なくとも１つの周波数に対応するサービスエリアをさらに含み、前記装置は、
前記サービスエリアを無視するための手段をさらに備え、
他の周波数の前記探索を実行するための前記手段が、前記ＵＳＤメッセージに含まれる前記サービスエリアを考慮することなく、前記少なくとも１つの周波数に基づいて、前記探索を実行するように構成される
Ｃ２８に記載の装置。
［Ｃ３５］
マルチキャストを取得するための装置であって、
ユーザサービス記述（ＵＳＤ）メッセージを受信するための手段と、ここにおいて、前記ＵＳＤメッセージが前記装置に関係のあるマルチキャストサービスの少なくとも１つの周波数を含む、
前記ＵＳＤメッセージに含まれる前記少なくとも１つの周波数が現在の周波数であるとき、前記マルチキャストサービスを取得するための手段と、
前記マルチキャストサービスが成功裏に取得されないとき、前記マルチキャストサービスが利用可能でないことを決定するための手段と、
前記ＵＳＤメッセージに含まれる前記少なくとも１つの周波数が前記現在の周波数でないとき、前記マルチキャストサービスが利用可能でないことを決定するための手段と
を備える装置。
［Ｃ３６］
前記現在の周波数がテンポラリモバイルグループ識別子（ＴＭＧＩ）を搬送していないとき、前記マルチキャストサービスが成功裏に取得されない、
Ｃ３５に記載の装置。
［Ｃ３７］
マルチキャストを取得するための装置であって、
処理システムを備え、前記処理システムは、
ユーザサービス記述（ＵＳＤ）メッセージを受信するように構成され、前記ＵＳＤメッセージは、前記装置に関係のあるマルチキャストサービスの周波数を示し、
前記ＵＳＤメッセージにおいて示される前記周波数は、現在の周波数でなく、前記処理システムは、
システム情報メッセージが受信されたことを決定し、
前記システム情報メッセージが受信されたとき、前記ＵＳＤメッセージにおいて示される前記周波数が前記システム情報メッセージに含まれることを決定し、
前記周波数が前記システム情報メッセージに含まれるとき、前記周波数が近隣セル周波数であることを決定し、前記周波数の優先順位を最も高い優先順位に設定し、前記周波数の信号強度を測定し、
前記周波数の前記信号強度に基づいてセル再選択決定プロシージャを実行し、
前記セル再選択決定プロシージャの結果に基づいて前記近隣セルに対するセル再選択を実行し、
前記周波数上の前記近隣セルにおける前記マルチキャストサービスを取得する
ようにさらに構成される、装置。
［Ｃ３８］
前記処理システムは、前記ＵＳＤメッセージにおいて示される前記周波数が前記現在の周波数であるとき、前記マルチキャストサービスを取得するようにさらに構成される、Ｃ３７に記載の装置。
［Ｃ３９］
前記処理システムは、
前記システム情報メッセージが受信されないとき、前記マルチキャストサービスが利用可能でないことを決定すること、
前記ＵＳＤメッセージにおいて示される前記周波数が前記システム情報メッセージに含まれていないとき、前記マルチキャストサービスが利用可能でないことを決定すること、または
前記セル再選択プロシージャの前記結果が、
前記周波数の前記信号強度が閾値を超えないこと、
前記周波数の前記信号強度が、所定の時間期間の間、前記閾値を超えないこと、または
前記装置が、少なくとも１秒間、現在のセルにとどまらないこと
のうちの少なくとも１つを決定するとき、前記マルチキャストサービスが利用可能でないことを決定すること
のうちの少なくとも１つを行うようにさらに構成される、Ｃ３７に記載の装置。
［Ｃ４０］
前記セル再選択決定プロシージャの前記結果が、
前記周波数が最も高い優先順位を有することと、
前記周波数の前記信号強度が、所定の時間期間の間、閾値よりも大きいことと、
前記装置が、少なくとも１秒間、現在のセルにとどまることと
を決定するとき、前記近隣セルに対する前記セル再選択が実行される、Ｃ３７に記載の装置。
［Ｃ４１］
前記システム情報メッセージは、システム情報ブロックタイプ５（ＳＩＢ５）メッセージであり、
前記閾値の値と前記所定の時間期間の値とは、前記ＳＩＢ５メッセージに含まれる
Ｃ４０に記載の装置。
［Ｃ４２］
前記周波数上の前記近隣セルにおける前記マルチキャストサービスが取得され、前記処理システムが、
前記周波数が新しい現在の周波数であることを決定することと、
前記新しい現在の周波数の優先順位を最も高い優先順位に設定することと、
前記新しい現在の周波数が最も高い優先順位を有し、
前記新しい現在の周波数の信号強度が第２の閾値未満であり、
前記第２の近隣セルの信号強度が、所定の時間期間の間、第３の閾値よりも大きく、
前記装置が、少なくとも１秒間、新しい現在のセルにとどまるとき
第２の近隣セルに対するセル再選択を実行することと
を行うようにさらに構成される、Ｃ３７に記載の装置。
［Ｃ４３］
前記システム情報メッセージは、システム情報ブロックタイプ３（ＳＩＢ３）メッセージまたはシステム情報ブロックタイプ５（ＳＩＢ５）メッセージのうちの少なくとも一方であり、
前記第２の閾値の値が前記ＳＩＢ３メッセージに含まれ、前記第３の閾値の値と前記所定の時間期間の値とが前記ＳＩＢ５メッセージに含まれる
Ｃ４２に記載の装置。
［Ｃ４４］
前記周波数上の前記近隣セルにおける前記マルチキャストサービスが取得され、前記処理システムが、
異なる周波数上の利用可能な第２のマルチキャストサービスの受信を拒否すること、または
受信された取得命令に基づいて前記利用可能な第２のマルチキャストサービスを取得すること
のうちの１つを行うようにさらに構成され、前記利用可能な第２のマルチキャストサービスを取得するように構成された前記処理システムは、
現在のマルチキャストサービスを非アクティブ化することと、
前記異なる周波数の優先順位を最も高い優先順位に設定することと、
前記異なる周波数が前記最も高い優先順位を有し、
前記異なる周波数の前記セルの信号強度が、所定の時間期間の間、閾値よりも大きく、
前記装置が、少なくとも１秒間、現在のセルにとどまるとき
前記利用可能な第２のマルチキャストサービスを取得するために、前記異なる周波数のセルに対するセル再選択を実行することと
を行うようにさらに構成される、Ｃ３７に記載の装置。
［Ｃ４５］
マルチキャストを取得するための装置であって、
処理システムを備え、前記処理システムは、
ユーザサービス記述（ＵＳＤ）メッセージを受信することと、ここにおいて、前記ＵＳＤメッセージは、前記装置に関係のあるマルチキャストサービスの周波数を示す、
前記ＵＳＤメッセージにおいて示される前記周波数が現在の周波数であるとき、前記マルチキャストサービスを取得することと、
前記ＵＳＤメッセージにおいて示される前記周波数が前記現在の周波数でないとき、前記マルチキャストサービスが利用可能でないことを決定することと
を行うように構成される装置。
［Ｃ４６］
マルチキャストを取得するための装置であって、
処理システムを備え、前記処理システムは、
ユーザサービス記述（ＵＳＤ）メッセージを受信することと、ここにおいて、前記ＵＳＤメッセージは、前記装置に関係のあるマルチキャストサービスの少なくとも１つの周波数を含む、
前記ＵＳＤメッセージに含まれる前記少なくとも１つの周波数が現在の周波数でないとき、他の周波数の探索を実行することと、ここにおいて、他の周波数を探索するように構成された前記処理システムは、
システム情報メッセージが受信されたことを決定し、
前記システム情報メッセージが受信されたとき、前記ＵＳＤメッセージおよび前記システム情報メッセージに共通に含まれる周波数を決定し、
前記共通周波数が近隣セル周波数であることを決定する、
ようにさらに構成され、ｉ＝１からＮであり、Ｎが共通周波数の合計数である、ｉ番目の共通周波数に対して、前記マルチキャストサービスが成功裏に取得されるまで、他の周波数を探索するように構成された前記処理システムは、
前記ｉ番目の共通周波数の優先順位を最も高い優先順位に設定し、
前記ｉ番目の共通周波数の信号強度を測定し、
前記ｉ番目の共通周波数の前記信号強度に基づいてセル再選択決定プロシージャを実行し、
前記セル再選択決定プロシージャの結果に基づいて前記ｉ番目の共通周波数のセルに対するセル再選択を実行し、
前記セル再選択が実行されるとき、前記ｉ番目の共通周波数の前記セルにおける前記マルチキャストサービスを取得し、
前記マルチキャストサービスが成功裏に取得されるかどうかを判断する
ようにさらに構成される、
前記マルチキャストサービスが成功裏に取得されるとき、前記マルチキャストサービスを受信することと
を行うように構成される、装置。
［Ｃ４７］
前記処理システムは、
前記ＵＳＤメッセージに含まれる前記少なくとも１つの周波数が前記現在の周波数であるとき、前記マルチキャストサービスを取得し、
前記マルチキャストサービスが成功裏に取得されるかどうかを判断し、
前記マルチキャストサービスが成功裏に取得されるとき、前記マルチキャストサービスを受信し、
前記マルチキャストサービスが成功裏に取得されないとき、他の周波数の前記探索を実行する
ようにさらに構成される、Ｃ４６に記載の装置。
［Ｃ４８］
他の周波数を探索するように構成される前記処理システムが、
前記システム情報メッセージが受信されないとき、前記マルチキャストサービスが利用可能でないことを決定することと、
前記セル再選択決定プロシージャの前記結果は、
前記ｉ番目の共通周波数の前記信号強度が閾値を超えないこと、
前記ｉ番目の共通周波数の前記信号強度が、所定の時間期間の間、前記閾値を超えないこと、または
前記装置が、少なくとも１秒間、現在のセルにとどまらないこと
のうちの少なくとも１つを決定するとき、ｉを増分することと、
前記マルチキャストサービスが成功裏に取得されないとき、ｉを増分することと、
ｉが最大Ｎまで増分された後、前記マルチキャストサービスが成功裏に取得されないとき、前記マルチキャストサービスが利用可能でないことを決定することと
のうちの少なくとも１つを行うようにさらに構成される、Ｃ４６に記載の装置。
［Ｃ４９］
前記セル再選択決定プロシージャの前記結果は、
前記ｉ番目の共通周波数が前記最も高い優先順位を有することと、
前記ｉ番目の共通周波数の前記信号強度が、所定の時間期間の間、閾値よりも大きいことと、
前記装置が、少なくとも１秒間、現在のセルにとどまることと
を決定するとき、前記ｉ番目の共通周波数の前記セルに対する前記セル再選択が実行される、
Ｃ４６に記載の装置。
［Ｃ５０］
前記システム情報メッセージは、システム情報ブロックタイプ５（ＳＩＢ５）メッセージであり、
前記閾値の値と前記所定の時間期間の値とは、前記ＳＩＢ５メッセージに含まれる
Ｃ４９に記載の装置。
［Ｃ５１］
前記ｉ番目の共通周波数がテンポラリモバイルグループ識別子（ＴＭＧＩ）を搬送していないとき、前記マルチキャストサービスが成功裏に取得されない、
Ｃ４６に記載の装置。
［Ｃ５２］
前記ＵＳＤメッセージは、前記装置に関係のある前記マルチキャストサービスの前記少なくとも１つの周波数に対応するサービスエリアをさらに含み、前記処理システムは、
前記サービスエリアを無視し、
前記ＵＳＤメッセージに含まれる前記サービスエリアを考慮することなく、前記少なくとも１つの周波数に基づいて、他の周波数の前記探索を実行する
ようにさらに構成される、Ｃ４６に記載の装置。
［Ｃ５３］
マルチキャストを取得するための装置であって、
処理システムを備え、前記処理システムは、
ユーザサービス記述（ＵＳＤ）メッセージを受信することであって、前記ＵＳＤメッセージが前記装置に関係のあるマルチキャストサービスの少なくとも１つの周波数を含む、受信することと、
前記ＵＳＤメッセージに含まれる前記少なくとも１つの周波数が現在の周波数であるとき、前記マルチキャストサービスを取得することと、
前記マルチキャストサービスが成功裏に取得されないとき、前記マルチキャストサービスが利用可能でないことを決定することと、
前記ＵＳＤメッセージに含まれる前記少なくとも１つの周波数が前記現在の周波数でないとき、前記マルチキャストサービスが利用可能でないことを決定することと
を行うように構成される、装置。
［Ｃ５４］
前記現在の周波数がテンポラリモバイルグループ識別子（ＴＭＧＩ）を搬送していないとき、前記マルチキャストサービスが成功裏に取得されない、
Ｃ５３に記載の装置。
［Ｃ５５］
ユーザ機器（ＵＥ）によってマルチキャストサービスを取得するためのコンピュータプログラム製品であって、
コンピュータ可読媒体を備え、前記コンピュータ可読媒体は、
ユーザサービス記述（ＵＳＤ）メッセージを受信するためのコードを備え、前記ＵＳＤメッセージは、前記ＵＥに関係のあるマルチキャストサービスの周波数を示し、
前記ＵＳＤメッセージにおいて示される前記周波数が現在の周波数でなく、前記コンピュータ可読媒体は、
システム情報メッセージが受信されたことを決定するためのコードと、
前記システム情報メッセージが受信されたとき、前記ＵＳＤメッセージにおいて示される前記周波数が前記システム情報メッセージに含まれることを決定するためのコードと、
前記周波数が前記システム情報メッセージに含まれるとき、前記周波数が近隣セル周波数であることを決定し、前記周波数の優先順位を最も高い優先順位に設定し、前記周波数の信号強度を測定するためのコードと、
前記周波数の前記信号強度に基づいてセル再選択決定プロシージャを実行するためのコードと、
前記セル再選択決定プロシージャの結果に基づいて前記近隣セルに対するセル再選択を実行するためのコードと、
前記周波数上の前記近隣セルにおける前記マルチキャストサービスを取得するためのコードと
をさらに備えるコンピュータプログラム製品。
［Ｃ５６］
ユーザ機器（ＵＥ）によってマルチキャストサービスを取得するためのコンピュータプログラム製品であって、
コンピュータ可読媒体を備え、前記コンピュータ可読媒体は、
ユーザサービス記述（ＵＳＤ）メッセージを受信するためのコードと、ここにおいて、前記ＵＳＤメッセージは、前記ＵＥに関係のあるマルチキャストサービスの周波数を示す、
前記ＵＳＤメッセージにおいて示される前記周波数が現在の周波数であるとき、前記マルチキャストサービスを取得するためのコードと、
前記ＵＳＤメッセージにおいて示される前記周波数が前記現在の周波数でないとき、前記マルチキャストサービスが利用可能でないことを決定するためのコードと
を備えるコンピュータプログラム製品。
［Ｃ５７］
ユーザ機器（ＵＥ）によってマルチキャストサービスを取得するためのコンピュータプログラム製品であって、
コンピュータ可読媒体を備え、前記コンピュータ可読媒体は、
ユーザサービス記述（ＵＳＤ）メッセージを受信するためのコードと、前記ＵＳＤメッセージが前記ＵＥに関係のあるマルチキャストサービスの少なくとも１つの周波数を含む、
前記ＵＳＤメッセージに含まれる前記少なくとも１つの周波数が現在の周波数でないとき、他の周波数の探索を実行するためのコードと、ここにおいて、他の周波数の前記探索を実行するための前記コードは、
システム情報メッセージが受信されたことを決定し、
前記システム情報メッセージが受信されたとき、前記ＵＳＤメッセージおよび前記システム情報メッセージに共通に含まれる周波数を決定し、
前記共通周波数が近隣セル周波数であることを決定するように構成され、
ｉ＝１からＮであり、Ｎが共通周波数の合計数である、ｉ番目の共通周波数に対して、前記マルチキャストサービスが成功裏に取得されるまで、他の周波数の前記探索を実行するための前記コードは、
前記ｉ番目の共通周波数の優先順位を最も高い優先順位に設定し、
前記ｉ番目の共通周波数の信号強度を測定し、
前記ｉ番目の共通周波数の前記信号強度に基づいてセル再選択決定プロシージャを実行し、
前記セル再選択決定プロシージャの結果に基づいて前記ｉ番目の共通周波数のセルに対するセル再選択を実行し、
前記セル再選択が実行されるとき、前記ｉ番目の共通周波数の前記セルにおける前記マルチキャストサービスを取得し、
前記マルチキャストサービスが成功裏に取得されるかどうかを判断する
ようにさらに構成される、
前記マルチキャストサービスが成功裏に取得されるとき、前記マルチキャストサービスを受信するためのコードと
を備えるコンピュータプログラム製品。
［Ｃ５８］
ユーザ機器（ＵＥ）によってマルチキャストサービスを取得するためのコンピュータプログラム製品であって、
コンピュータ可読媒体を備え、前記コンピュータ可読媒体は、
ユーザサービス記述（ＵＳＤ）メッセージを受信するためのコードと、ここにおいて、前記ＵＳＤメッセージが前記ＵＥに関係のあるマルチキャストサービスの少なくとも１つの周波数を含む、
前記ＵＳＤメッセージに含まれる前記少なくとも１つの周波数が現在の周波数であるとき、前記マルチキャストサービスを取得するためのコードと、
前記マルチキャストサービスが成功裏に取得されないとき、前記マルチキャストサービスが利用可能でないことを決定するためのコードと、
前記ＵＳＤメッセージに含まれる前記少なくとも１つの周波数が前記現在の周波数でないとき、前記マルチキャストサービスが利用可能でないことを決定するためのコードと
を備えるコンピュータプログラム製品。